(57)【要約】   【課題】  カラオケのリモコンとして動作する利用者の多機能携帯端末とカラオケ装置との間のペアリングを、利用者の入室から退室までの間の利用単位（セッション単位）のみで利用できかつ個人認証を経た利用者にのみインターネットアクセス環境を提供する。  【解決手段】  リモコン信号受信手段で受信したセッションＩＤを含むリモコン識別情報に基づき、特定された前記多機能携帯端末と前記カラオケ装置との接続許可を確立し、さらに個人認証を経た利用者に限りインターネット利用番号を発行し、許可確立時の前記セッションＩＤが有効な間、接続許可を維持し、インターネット接続を許可する。【選択図】  図１
2014130299.tif 000002
【特許請求の範囲】
【請求項１】
複数のカラオケ装置がネットワークを経由して、受付端末装置及び専用サーバを含む外部サーバなどに一般インターネットを介して接続可能で、個々の前記カラオケ装置とカラオケ装置を操作する任意数の前記リモコン端末装置とを接続し、利用単位を特定するセッションで対応付けるネットワークカラオケシステムであって、
前記受付端末装置で利用者の利用申し込みを受け付け、前記カラオケ装置の（インターネット）利用番号を発行する手段、
前記ネットワークを経由して、個々の前記カラオケ装置とカラオケ装置を操作する任意数のリモコン端末装置とをペアリングし、利用単位を特定するセッションで対応付ける手段、
個々の前記カラオケ装置の利用単位を特定するセッションＩＤを更新・発行する切替指示受付手段、
当該カラオケ装置を特定するためのカラオケ装置ＩＤと当該カラオケ装置におけるその時点で有効なセッションＩＤを含むカラオケ識別情報をリモコン端末装置に伝える伝達手段、
前記リモコン端末装置から、前記識別情報に基づき、指定する前記カラオケ装置に向けて送信される前記カラオケ識別情報とインターネット利用番号と関連付けられた当該リモコンＩＤとを含むリモコン識別情報を受信するリモコン信号受信手段、
当該リモコン信号受信手段によって受信したリモコン識別情報に基づいて、当該カラオケ装置と前記リモコン端末装置の対応付を制御する制御手段と前記利用番号を所望の前記カラオケ装置に入力する手段、
入力されたインターネット利用番号が発行されたインターネット利用番号と一致しているか照会する手段、
入力された前記インターネット利用番号が、発行された前記インターネット利用番号と一致していることを条件に前記一般インターネットの接続を許可する手段、
上記許可情報をリモコン端末装置のペアリング情報に付加する手段とを有し、
前記制御手段は、前記リモコン信号受信手段で受信した前記リモコン識別情報に基づき、特定された前記リモコン端末装置と前記カラオケ装置とのペアリングを確立しペアリング確立時のセッションＩＤが有効な間、ペアリング許可、インターネット接続許可を維持することを特徴とするネットワークカラオケシステム。
【発明の詳細な説明】
【技術分野】
【０００１】
カラオケのリモコンとして動作する利用者の多機能携帯端末とカラオケ装置との間のペアリングを、利用者の入室から退室までの間の利用単位（セッション単位）のみで利用できかつ個人認証を経た利用者にのみインターネットアクセス環境も提供するネットワークシステムの技術に関する。
【背景技術】
【０００２】
最近のカラオケシステムは、高機能化が著しく、便利になって来ている反面、操作が複雑になってきており、これに伴いリモコンも高機能化してきている。
特にカラオケルームに設置してある専用のリモコンは、ボタン類が多く使い方がよくわからないなどの問題があった。そのため、使い慣れていないとボタン操作に時間がかかって歌う時間が少なくなってしまうことも多かった。
【０００３】
また、通常カラオケ室には、リモコンが少数しかないのが一般的であり、他の人が選曲している間は、リモコンが使用できないという不便さがあった。
【０００４】
また、店に設置してあるリモコンは様々な人が操作するため、必ずしも清潔とはいえないという一面もあった。
【０００５】
一方で、誰もが携帯電話を持つ時代となり、さらにスマートホン等の普及により、これら携帯電話に各種ソフトウエアを入れて楽しむ人も増えている。スマートホンのソフトウエア開発環境も充実してきており、開発者も増えてきている。
【０００６】
そこで、使い慣れた自分の多機能携帯端末等を使ってカラオケの操作を行いたいという要望が生じてきた。またカラオケの専用リモコンは業務用のため高価なものであり、カラオケ店としても、専用リモコンを設置する必要がなくなれば経費の節約になり、またリモコンの盗難防止、保守といった管理作業もなくなるため店にも喜ばれる。
【０００７】
そこで、利用者の多機能携帯端末等をカラオケのリモコンとして使用する提案が各社から行われている。（特許文献１乃至４参照）
【０００８】
しかし、ここで利用者が所有する携帯端末を近距離無線方式によりカラオケのリモコンとして使用させた場合、他の部屋のカラオケ機器を制御してしまわないように、利用者の携帯電話が制御できるカラオケ機器を特定しておく必要がある。
また、たとえばその利用者の使用時間終了後などに店外から携帯電話を操作することにより、店内のカラオケ装置を制御されてしまう恐れがある。
【０００９】
一方、昨今のカラオケシステムの高機能化に伴い、インターネットを使ってカラオケの高機能化を実現するケースが現れている。これに伴いカラオケルーム内でもインターネットアクセスが可能な環境となってきている。
【００１０】
しかしながら、個室でのインターネットアクセスは、青少年にとって有害なサイトへもアクセスできることから何かとトラブルの温床になりがちであり、また個人特定できない個室内でのアクセスもできるため、ネット犯罪にまで発展するケースも少なくない。
【００１１】
このため、いわゆる「インターネットカフェ」等の業界では、ほとんどの店が会員制により利用者の年齢等を含む個人特定が可能な情報を入手・管理し、夜間の未成年の入室を規制する他、使用者を特定できる記録を保持しているのが一般的である。
（例  東京都  インターネット端末利用営業の規制に関する条例）
【００１２】
カラオケは、本来はこのような「インターネットカフェ」とは一線を画するものであるが、インターネット環境があるため、上述した「インターネットカフェ」と同様の対応が必要となってくる。
【００１３】
そこで、カラオケルーム入室に当たり、インターネットカフェと同様な年齢管理を行う必要がある。しかしカラオケルームは、インターネットカフェと違い、必ずしも会員登録等を求める文化をもたない。
そこで、本発明者は、インターネット利用番号の発行により、個人特定された利用者に限り、インターネット利用ができる環境の構築を試みた。
【先行技術文献】
【特許文献】
【００１４】
【特許文献１】特開２０１２−０５３４０９号公報
【特許文献２】特許３９０４９８９号公報
【特許文献３】特開２０１２−４７７７３号公報
【特許文献４】特開２０１２−２１２０１６号公報
【特許文献５】特許第４３４５７６７号公報
【特許文献６】特開２００３−３０５４９号公報
【特許文献７】特開２００２−３１８８５１号公報
【発明の概要】
【発明が解決しようとする課題】
【００１５】
特許文献１は、携帯電話をカラオケのリモコンとして使用する例である。携帯情報端末の通信範囲内に複数のカラオケ装置があった場合でも特定の1台と接続できる技術である。しかし利用時間終了後の接続や切断処理については記述がない。
【００１６】
さらに特許文献２では、短距離無線通信手段を使用した携帯電話をリモコンとして使う方法であるが、主に選曲操作について述べられており、カラオケ利用終了後店外からの悪意のある制御への対策には言及していない。実施する際には何らかの対処が必要になると思われるが特許公報に記載はない。
【００１７】
特許文献３は、リモコンとカラオケ装置に関してペアリングを行っているが、これはカラオケの開局処理で行うもので、利用者の入店毎にペアリングを行う本発明とは課題は異なっている。
【００１８】
特許文献４は、パーソナル携帯端末をカラオケのリモコンとして使用する発明であり、期限データを発行し選曲管理情報（期限データ及び演奏端末ＩＤ）を管理、携帯電話網及びインターネットを介してカラオケサーバに選曲管理情報及び楽曲ＩＤを送信する。選曲管理情報に含まれる期限データを確認し、期限が終了していない場合のみに、選曲管理情報と共に受信した楽曲ＩＤをカラオケ演奏端末に転送、転送されてきた楽曲ＩＤに基づく選曲予約を行わせる。
しかし、「期限データ」で利用できる時間を限定していることから、時間が短ければ、利用途中で使用できなくなる不便があり、長めであれば利用終了後に不正に制御される危険がある。また、しかし、選曲予約の度にサーバへの問い合わせを行って期限データを入手している為ネットワークアクセスも頻繁になり、多数の顧客利用者がカラオケ利用時には、選曲予約時にサーバからの応答を待つ時間が発生する。また何らかの理由でネットワークにアクセスできない場合はパーソナル携帯端末をリモコンとして利用できない。
【００１９】
また、カラオケルームでインターネットを使用する場合、入室に当たり、年齢等の身分証明書情報を確認する方法がない。特許文献５は、インターネットと携帯電話を使用してカラオケ装置の予約をする技術及び携帯電話を利用し、単にインターネットに接続する技術について述べているが、不特定多数が使用するインターネット端末の使用に関して接続する際、利用者を特定できる管理が可能となるような本願の課題への言及はない。
【００２０】
さらに特許文献６、特許文献７は、いわゆる「インターネットカフェ」の課金システムに係る発明であるが、課金やセキュリティを主目的にしており、青少年の保護などコンプライアンスを目的にしたものではない。例えば特許文献６では、インターネット接続に際し、管理端末にメールで注文伝票を送信して、接続許可を受けるというものであり、主として有料インターネット接続における課金方法を特定するものである。また特許文献７については、無人であっても使用できるというものであって、特定の利用者のみが利用できるといった構成は存在しない。
【００２１】
本発明は、これらの点に鑑み、カラオケのリモコンとして動作する利用者の多機能携帯端末等とカラオケ装置との間のペアリングを、利用者の入室から退室までの間の利用単位（セッション単位）で利用でき、個人認証を経た利用者にのみセッション単位でインターネットアクセス環境を提供することを目的とする。
【課題を解決するための手段】
【００２２】
上記目的を達成するため本発明の請求項1は、利用者のカラオケ利用単位として「セッション」を定義し、カラオケ利用開始時にセッションＩＤを通知し、終了時にこれを無効化する手段を設ける。また、利用者の入店時に本人確認を行った利用者のみに対し、使用単位で管理するインターネット利用番号を発行する。
利用者はカラオケ利用開始時に、セッションＩＤを含むカラオケ識別情報を利用者の多機能携帯端末４等に伝達し、その多機能携帯端末４等とカラオケ室にあるカラオケ装置１とペアリングを行うことにより、利用者の多機能携帯端末４等がセッション終了までの間、その特定のカラオケ装置１のみと通信できるリモコン装置となる。その後、インターネットを利用する利用者は前記インターネット利用番号を入力して、前記利用番号が一致したことによりインターネット使用を許可し、さらに、利用者がカラオケ室利用終了時にはセッションＩＤを無効化することにより、リモコン装置としての機能は終了し、それ以後はカラオケ装置１の制御とインターネットのアクセスができなくなるというものである。
【００２３】
利用者のカラオケ利用終了後は、切替指示受付手段によりペアリングを解除して、利用者の多機能携帯端末等から店のカラオケ装置の制御とカラオケ装置を使用したインターネットアクセスを不可能にできる。
【発明の効果】
【００２４】
本発明によると、利用者がカラオケ室入室時に、自分の多機能携帯端末等を特定のカラオケ装置のリモコン装置として、入室から退室まで一貫して使えるようになり、個人認証をした人のみにインターネット利用を許すことができる。その後カラオケ利用終了時には、リモコン装置としての機能は終了し、それ以後は利用者の多機能携帯端末等からは、インターネットアクセスを含むカラオケ装置の制御ができなくなるというものである。
【図面の簡単な説明】
【００２５】
【図１】本発明の一実施例を示すネットワーク接続を示す説明図。
【図２】本発明の一実施例を示す運用フローを示す説明図。
【発明を実施するための形態】
【００２６】
本発明では、本カラオケ装置１のリモコンとなる多機能携帯端末４による制御を利用単位で許可するためのセッションＩＤを更新・発行する切替受付手段が設けられている。
この切替受付手段は、カラオケ装置１本体にリセットボタン３として設けられ、このリセットボタン３を押すごとに、使用していたセッションＩＤが無効になり新たなセッションＩＤが発行されるようになっている。
【００２７】
次に図１のネットワーク接続図によって、本発明の多機能携帯端末４とカラオケ装置１の接続技術を説明する。
店舗内にはセンターからの通信回線と接続するルータ５があり、ルータ５にはアクセスポイント８を経由して受付端末装置２と、カラオケ室のカラオケ装置１が接続されている。またリモコンとなる多機能携帯端末４がアクセスポイント９を経由してルータ５に接続されている。
利用者はカラオケ利用開始時に、受付端末装置２よりインターネット利用番号を受け取り、さらにカラオケ室入室後セッションＩＤを含むカラオケ識別情報を受け取り、自ら保有する多機能携帯端末４に読み込ませる。その上で利用者は、自分の多機能携帯端末４と当該カラオケ装置１との間でペアリングを行い、当該多機能携帯端末４は当該カラオケ装置専用のリモコン装置となり、当該カラオケ装置１を制御できるようになり、その後インターネット利用番号を入力することでインターネットの利用が可能となる。
カラオケの利用が終了したときには、店員はカラオケ室のカラオケ端末１または受付端末装置２を操作することにより、利用者の多機能携帯端末４とカラオケ装置１とのペアリングは解消され、もはや利用者の多機能携帯端末４では、店のカラオケ装置１を制御できなくなり、同時に当該カラオケ装置でのインターネットの利用もできなくなる。
【００２８】
次に図２で、運用フローを示す説明図に基づいて本発明のネットワークカラオケシステムにおけるカラオケ装置１の利用状態を説明する。
（１）カラオケ装置の電源オン
（２）セッションＩＤを生成して初期状態となる。利用者が使用するカラオケ装置の画面に「セッションＩＤ」［カラオケ識別情報］が表示される。これはたとえばカラオケ装置１に接続された表示装置６にＱＲコード（登録商標）のような形で表示される。
（３）カラオケ店に利用者来店
（４）個人認証を行い、インターネット利用可能であればインターネット利用番号が発行される。利用者が自分の携帯電話（＝多機能携帯端末４）より、インターネット利用番号をカラオケ装置１に入力することにより、発行されたインターネット利用番号との照合が行われ、一致した場合にインターネット利用が可能となる。
（５）利用者は自分の多機能携帯端末４のカメラ機能などでＱＲコード（登録商標）等を撮影し使用するカラオケ装置１の情報を受け取る。
（６）利用者は自分の多機能携帯端末４を操作することにより、多機能携帯端末４とカラオケ装置１とのペアリングを実施し、カラオケ装置１と利用者の多機能携帯端末４が紐付く。
（７）インターネット利用番号を入力してインターネット利用可能となる。
（８）ペアリングの完了により、利用者の多機能携帯端末４を一時的に割り当てられたカラオケ装置１の専用リモコンとすることができ、カラオケ装置１の利用が可能となる。
（９）カラオケ室の利用を終了し、退室する。
（１０）閉店でない場合はここでカラオケ装置１のリセットボタン３を押下して初期状態に戻る。リセット操作によりセッションが終了（セッションＩＤは無効にされる）し、同時に利用者の多機能携帯端末４とカラオケ装置１とのペアリングは解除され、これ以降は利用者の多機能携帯端末４ではカラオケ装置１の操作は不可能となり、また、新たなセッションＩＤが生成され、次の利用者入室を待機する初期状態となる。
（１１）閉店の場合はカラオケ装置１の電源をオフする。
【００２９】
尚、上述の実施例において、切替受付手段は、カラオケ装置１本体にリセットボタン３としてのスイッチが設けられ、このリセットボタン３を押す毎に、更新・発行するようにしていたが、利用者が受付から退場する際、利用者が使用していたカラオケ装置１に受付端末装置２からネットワークを経由して前記切替受付手段を駆動させるようにしても良い。
【００３０】
また、セッションＩＤを含むカラオケ識別情報の伝達手段は、利用を予定するカラオケ装置１に接続された表示装置６に機械読み取り用のコード情報を出力する以外に、ネットワークを経由して受付端末装置２に表示してもよく、これにより利用者が多機能携帯端末４にあらかじめ設けられている公知のバーコード読み取り装置で読み取れるようにしても良い。
【産業上の利用可能性】
【００３１】
カラオケの利用に際して、特定のカラオケ装置１の利用単位毎に個別のセッションＩＤが発行され、ペアリングを制御するので、確実に機器の制御が行え、誤って、あるいは故意に接続するべきカラオケ装置１以外のカラオケ装置を制御することがなく、また対象のカラオケ装置１であっても正規の利用単位が終了した後には制御することができずセキュリティも確実に保たれる。
【符号の説明】
【００３２】
１…カラオケ装置
２…受付端末装置
３…リセットボタン
４…多機能携帯端末
５…ルータ
６…表示装置
７…ハブ
８…アクセスポイント
９…アクセスポイント
１０…インターネット
１１…店舗
１２…カラオケ室
１３…専用サーバ
１４…ルータ
１５…ルータ
【図１】
2014130299.tif 000003
【図２】
2014130299.tif 000004